(57)【要約】      （修正有）【課題】ヘッド本体とトップカバーとの結合強度を増して変形を防止し製造コストを下げたゴルフクラブヘッドの提供。【解決手段】中空状を呈し、上面に開口が開設され該開口の周縁に結合面が形成されたヘッド本体と、一片でヘッド本体上面を被覆すると共に開口を閉じるトップカバー２と、ヘッド本体内部に嵌め置かれる片体でありヘッド本体のフェイスとの対向端面と反対側の端面にそれぞれ段差面３２を具え、該段差面が開口内縁に当接してヘッド本体開口を支持する機能を具え、フェイスが衝撃を受ける時のヘッド本体の変形を防止し、中段が隆起して凸部が形成された支持板３とを具え、支持板両端の上面がヘッド本体の結合面底面に接合され、支持板の凸部がヘッド本体上面開口中に係止されると共に結合面の上面と平面状を形成し、トップカバーがヘッド本体上を被覆して環状の結合面と支持板の凸部に接合されてなる。【選択図】図３
0003101425.tif 000002
【実用新案登録請求の範囲】
【請求項１】
中空のヘッド本体と一枚のトップカバーを具え、該ヘッド本体は内部が中空状を呈し且つ一体成形により形成され、ヘッド本体の上面に開口が開設され且つ一側よりシャフトが挿入されるネックが延伸され、開口周縁に結合面が形成され、トップカバーはヘッド本体の上面形状に対応し且つヘッド本体の上面の開口を被覆できるものとされたゴルフクラブヘッドにおいて、
ヘッド本体開口内部に支持板が嵌め込まれ、該支持板のヘッド本体のフェイスに近い端部がヘッド本体の開口端に当接し、反対の端部が開口内縁に当接し且つ接着され、支持板によりヘッド本体のフェイスが支持され、且つ支持板の中段よりヘッド本体上面開口の幅に合わせて設けられた凸部が隆起し、これにより、支持板両端上面がヘッド本体の結合面底面に接合され、支持板の凸部がヘッド本体上面開口中に係止され且つ結合面の上面と平らに揃えられ、トップカバーがヘッド本体を被覆し並びに環状の結合面が支持板の凸部と結合されて接着面積が増され、ヘッド本体とトップカバーの結合強度が増され、ヘッド本体のフェイスの耐衝撃力が増されたことを特徴とする、ゴルフクラブヘッド。
【請求項２】
請求項１記載のゴルフクラブヘッドにおいて、支持板がヘッド本体の開口中央に位置してフェイスと垂直に設置されたことを特徴とする、ゴルフクラブヘッド。
【請求項３】
請求項１記載のゴルフクラブヘッドにおいて、支持板がヘッド本体の開口の一側に設置されたことを特徴とする、ゴルフクラブヘッド。
【考案の詳細な説明】
【技術分野】
【０００１】
本考案は一種のゴルフクラブヘッドに係り、特に、ヘッド本体とトップカバーとの結合強度を増して変形を防止し製造コストを下げたゴルフクラブヘッドに関する。
【背景技術】
【０００２】
周知のゴルフクラブヘッドは図１に示されるように、中空のヘッド本体１０とトップカバー２０とを具え、該ヘッド本体１０の内部は中空状を呈し、ヘッド本体１０の上面に開口１０１が開設され且つシャフトが挿入されるネック１２が一側に凸設され、開口１０１の周縁に結合面１０３が形成されている。トップカバー２０はヘッド本体１０の上面形状に対応し且つヘッド本体１０の上面の開口１０１上を閉じることができ、トップカバー２０とヘッド本体１０の結合方式は、まず、ヘッド本体１０の結合面１０３に接着剤３０を塗布し、さらにトップカバー２０でヘッド本体１０の結合面１０３上を覆い、両者を加圧して接着させた後、更に表面処理（つや出し処理）を行なって、完全なゴルフクラブヘッドを形成する、というものである。しかし、このような周知のゴルフクラブヘッドの構造は、トップカバー２０とヘッド本体１０の間の接着面積（即ち環状の結合面１０３の面積）が小さ過ぎるため、ヘッド本体１０のフェイス１０４がゴルフボールを打つ時、ゴルフボールの反作用力がヘッド本体１０に直接の衝撃を与え、ヘッド本体１０に変形を発生させ、打撃後にヘッド本体１０は原状に回復するが、このような反復する変形と原状への回復の変化は、長期の使用において、ヘッド本体１０とトップカバー２０の結合に脱落を形成し、使用上の大きな問題を形成しやすい。このような難題を解決するため、図２に示されるようなゴルフクラブヘッドの構造が提供された。それは、先の周知の技術と同様、金属材料で形成された中空のヘッド本体１０とトップカバー２０を具え、且つヘッド本体１０には開口１０１、ネック１０２、開口１０１の周縁の環状の結合面１０３が形成されている。ヘッド本体１０とトップカバー２０の結合強度を高めるため、この第２の周知の技術によると、ヘッド本体１０の側壁に入気孔１０５が設けられ、並びにエアバッグ４０が入気孔１０５よりヘッド本体１０内部に挿入され、続いて一層の炭素繊維布５０がヘッド本体１０内に置かれ、その後、結合面１０３に接着剤３０が塗布されて加圧接合され、加圧によりトップカバー２０がヘッド本体１０に接着されると共に、エアバッグ４０が充気されて膨張し、炭素繊維布５０を上向きにトップカバー２０と結合面１０３の底面に貼り合わせ、結合面１０３とトップカバー２０及び炭素繊維布５０が緊密に結合された後に、エアバッグ４０の空気が抜き取られ、並びに入気孔１０５より取り出され、最後に入気孔１０５が閉じられ（通常は業者の装飾性を有する商標で閉じられる）、こうしてゴルフクラブヘッドが完成する。しかし、この第２の周知のゴルフクラブヘッドの結合強度は炭素繊維布５０によりヘッド本体１０とトップカバー２０を圧着させることにより第１の周知のゴルフクラブヘッドよりも改善はされているものの、エアバッグ４０のヘッド本体１０への挿入と取り出し及び充気、排気のステップのために製造コストがアップし、またヘッド本体１０に入気孔１０５が残るために別にそれを閉じる必要が生じ、このため第２の周知のゴルフクラブヘッドは製造コストが高くなり過ぎるという欠点がある。
【考案の開示】
【考案が解決しようとする課題】
【０００３】
本考案の主要な目的は、ヘッド本体とトップカバーの結合強度を増し、ヘッド本体の耐えられる衝撃力を増し、製造コストを下げることができる、ゴルフクラブヘッドの構造を提供することにある。
【課題を解決するための手段】
【０００４】
請求項１の考案は、中空のヘッド本体と一枚のトップカバーを具え、該ヘッド本体は内部が中空状を呈し且つ一体成形により形成され、ヘッド本体の上面に開口が開設され且つ一側よりシャフトが挿入されるネックが延伸され、開口周縁に結合面が形成され、トップカバーはヘッド本体の上面形状に対応し且つヘッド本体の上面の開口を被覆できるものとされたゴルフクラブヘッドにおいて、
ヘッド本体開口内部に支持板が嵌め込まれ、該支持板のヘッド本体のフェイスに近い端部がヘッド本体の開口端に当接し、反対の端部が開口内縁に当接し且つ接着され、支持板によりヘッド本体のフェイスが支持され、且つ支持板の中段よりヘッド本体上面開口の幅に合わせて設けられた凸部が隆起し、これにより、支持板両端上面がヘッド本体の結合面底面に接合され、支持板の凸部がヘッド本体上面開口中に係止され且つ結合面の上面と平らに揃えられ、トップカバーがヘッド本体を被覆し並びに環状の結合面が支持板の凸部と結合されて接着面積が増され、ヘッド本体とトップカバーの結合強度が増され、ヘッド本体のフェイスの耐衝撃力が増されたことを特徴とする、ゴルフクラブヘッドとしている。
請求項２の考案は、請求項１記載のゴルフクラブヘッドにおいて、支持板がヘッド本体の開口中央に位置してフェイスと垂直に設置されたことを特徴とする、ゴルフクラブヘッドとしている。
請求項３の考案は、請求項１記載のゴルフクラブヘッドにおいて、支持板がヘッド本体の開口の一側に設置されたことを特徴とする、ゴルフクラブヘッドとしている。
【考案の効果】
【０００５】
本考案は、ヘッド本体とトップカバーの結合強度を増し、ヘッド本体のフェイスの耐衝撃力を増し、また、製造コストを減らすことができるゴルフクラブヘッドを提供している。
【考案を実施するための最良の形態】
【０００６】
本考案のゴルフクラブヘッドは、中空のヘッド本体と一枚のトップカバーを具えている。該ヘッド本体は内部が中空状を呈し且つ一体成形により形成され、ヘッド本体の上面に開口が開設され且つ一側よりシャフトが挿入されるネックが延伸され、開口周縁に結合面が形成されている。トップカバーはヘッド本体の上面形状に対応し且つヘッド本体の上面の開口を被覆できるものとされる。本考案の特徴は以下のとおりである。ヘッド本体開口内部に支持板が嵌め込まれ、該支持板のヘッド本体のフェイスに近い端部がヘッド本体の開口端に当接し、反対の端部が開口内縁に当接し且つ接着され、支持板によりヘッド本体のフェイスを支持する効果を具え、且つ支持板の中段よりヘッド本体上面開口の幅に合わせて設けられた凸部が隆起し、これにより、支持板両端上面がヘッド本体の結合面底面に接合され、支持板の凸部がヘッド本体上面開口中に係止され且つ結合面の上面と平らに揃えられ、トップカバーがヘッド本体を被覆し並びに環状の結合面が支持板の凸部と結合されて接着面積を増す効果を具備し、これによりヘッド本体とトップカバーの結合強度が増され、ヘッド本体のフェイスの耐衝撃力が増され、また、製造コストを減らすことができる。
【実施例１】
【０００７】
本考案は、中空のヘッド本体１と、トップカバー２と支持板３を具えている。そのうち、
該ヘッド本体１は、内部が中空状を呈し且つ一体成形により形成され、該ヘッド本体１の上面に開口１１が開設され、且つ一側にゴルフクラブのシャフトが挿入されるネック１２が凸設され、該開口１１の周囲に環状の結合面１３が形成され、
該トップカバー２はヘッド本体１の上面形状に対応し且つヘッド本体１の上面の開口１１の上を被覆できるものとされ、
該支持板３は、ヘッド本体１の開口１１内部に嵌め込まれる板片とされ、支持板３の設置方向はヘッド本体１のフェイス１４と垂直状を呈し、且つ支持板３の中段が隆起してヘッド本体１の上面開口１１の幅に合った凸部３１が形成され、ヘッド本体１のフェイス１４に隣接する端部と反対の端部とに段差面３２が設けられ、該段差面３２がヘッド本体１の開口１１の内縁と当接し、ヘッド本体１のフェイスを支持する機能を具備するものとされる（図５参照）。
本考案の結合状態は図４と図５に示されるとおりであり、まず、支持板３の両端の段差面３２の上面に接着剤４が塗布され、その後、支持板３がヘッド本体１内部に挿入されてフェイス１４と相互に垂直とされ、支持板３の両端上面がヘッド本体１の結合面１３底面に接着あれ、支持板３の凸部３１がヘッド本体１の上面開口１１中に係止され且つ結合面１３の上面と平らに揃った状態とされ（図５参照）、続いて、ヘッド本体１の結合面１３が支持板３の凸部３１の上面に接着剤４が塗られ、最後に、トップカバー２がヘッド本体１と支持板３の上を被覆して結合面１３及び支持板３の凸部３１と接合される。以上により、図４及び図５に示されるゴルフクラブヘッドが形成される。
【０００８】
以上から分かるように、本考案の長所及び機能は以下のとおりである。
１．ヘッド本体１とトップカバー２の結合強度が増されている：ヘッド本体１の内部に凸字形の支持板３が設置されたため、トップカバー２とヘッド本体１の接着面積が増されただけでなく、両者の結合強度が増されている。
２．ゴルフクラブヘッドの変形が防止される：支持板３の二端の段差面３２がそれぞれヘッド本体１のフェイス１４に近い開口１１内縁及びその反対側と当接し、支持板３がヘッド本体１のフェイス１４を支持する機能を具え、フェイス１４の耐衝撃力を高め、ヘッド本体１の変形を防止し、変形と脱落の欠点を防止する。
３．製造過程で接着剤による結合を行ない、送風機或いはエアバッグの設置が不要で、このほか、ヘッド本体１に入気孔を保留する必要がなく、余分に入気孔を閉じるための加工も不要で、製造プロセスを簡易化して製造コストを減らすことができる。
【０００９】
さらに、本考案の支持板３形状は第１種の実施例に示される長條状設計のほかに、図６に示されるヘッド本体１の左半部を充満する形態、或いは図７に示されるヘッド本体１の右半部を充満する形態とされうる。言い換えると、本考案は支持板３をヘッド本体１の開口１１の位置に嵌止めし、且つ一端を段差面３２により開口１１の、ヘッド本体１のフェイス１４に近い端部に当接し、もう一端も同様にし、中間の凸部３１部分を結合面１３の上面と揃えた状態とすれば、極めて良好な補強、強化の効果を発揮できる。
【００１０】
本考案に記載の技術手段は確実に周知のゴルフクラブヘッドの構造の問題を解決すると共に、予期された目的と効果を達成し、且つその出願前に未公開であり、また、機能が向上された事実を有し、実用性、新規性、進歩性を具えた考案である。
【図面の簡単な説明】
【００１１】
【図１】周知の第１種のゴルフクラブヘッドの断面図である。
【図２】周知の第２種のゴルフクラブヘッドの断面図である。
【図３】本考案の分解斜視図である。
【図４】本考案の平面図である。
【図５】図４のＡ−Ａ線断面図である。
【図６】本考案の別の実施例の平面図である。
【図７】本考案のまた別の実施例の平面図である。
【符号の説明】
【００１２】
１０  ヘッド本体
１０１  開口
１０２  ネック
１０３  結合面
１０４  フェイス
１０５  入気孔
２０  トップカバー
３０  接着剤
４０  エアバッグ
５０  炭素繊維布
１  ヘッド本体
１１  開口
１２  ネック
１３  結合面
１４  フェイス
２  トップカバー
３  支持板
３１  凸部
３２  段差面
４  接着剤
【図１】
0003101425.tif 000003
【図２】
0003101425.tif 000004
【図３】
0003101425.tif 000005
【図４】
0003101425.tif 000006
【図５】
0003101425.tif 000007
【図６】
0003101425.tif 000008
【図７】
0003101425.tif 000009